(57)【特許請求の範囲】
【請求項１】
被把持軸に装着するように、弾力を有する繊維素材により成形された筒状本体と、糸，毛糸，紐又は帯状繊維素材からなり、前記筒状本体にらせん状に巻かれる弾力変化材とを備え、
前記筒状本体は、繊維素材からなる方形の本体素材が、筒状に丸められ、その両長手端縁において縫合されて、縫合線部が形成され、引っ張り・圧縮およびひねりなどの外力を加えると、繊維素材のもつ復元力の働く範囲内で、容易に変形すると共にその弾力が変化し、その保持感触を変化できるように形成され、
前記弾力変化材の一部ないし全部は、弾力変化材と縫合線部とのある交点を第１の交点とし、前記第１の交点と隣接する交点を第２の交点としているとき、筒状本体の上部と下部とを反対方向にひねりを加えると、第１の交点は移動し及び／又は第２の交点は移動して、この弾力変化材が筒状本体に食い込み且つ筒状本体が被把持軸に密着するように、筒状本体を一周するごとに筒状本体に接着又は縫合されたことを特徴とする、グリップ。
【請求項２】
前記筒状本体は、その片方又は両方の端部が絞り込みされ、被把持軸に密着して変形させた状態を保持するとともに、被把持軸上をスライドするように形成された、請求項１に記載のグリップ。
【請求項３】
筒状本体は、両端の口部に絞り縁部が形成され、
弾力変化材は、筒状本体の中央部にらせん状に巻かれて、筒状本体の上部と下部とを反対方向にひねりを加えると、第１の交点は移動し且つ第２の交点も移動して、この弾力変化材が筒状本体に食い込み且つ筒状本体が被把持軸に密着するように形成された、請求項１または請求項２に記載のグリップ。
【発明の詳細な説明】
【技術分野】
【０００１】
本発明は、把持感触を変化することができるグリップに関し、特に、例えば断面六角形の鉛筆等に装着して、その把持感触を変化することができるグリップに関する。
【背景技術】
【０００２】
従来の筆記具のグリップは、合成ゴム・アクリル樹脂・シリコンなどの素材で成形されている。（例えば、特許文献１参照。）
【０００３】
また、対象とする軸に固定されており、その把持感触は一定である（例えば、特許文献２参照。）。
【０００４】
【特許文献１】特開平１０−３１５１６１号公報
【特許文献２】特開２００３−０１１５７０号公報
【発明の開示】
【発明が解決しようとする課題】
【０００５】
従来のグリップは、使用する素材の弾力によって把持感触が固定されており、使用時の状況に応じてその感触を変化させることはできない。
また、使用位置も軸上に固定されている。
また、長期使用するとグリップの汚れやざらつきが気になる。さらに、デザイン的にも単色が多くバリエーションが少ない。
【０００６】
一方、繊維をグリップに使用した場合、へたり・毛羽立ち・毛玉又はほつれなどが発生することが考えられる。
【０００７】
本発明は、使用者の好みに応じて把持感触を変化させることができること、耐久性と汎用性およびバリエーションの多さを実現することが可能な、グリップを提供することである。
【課題を解決するための手段】
【０００８】
この発明の請求項１にかかるグリップは、被把持軸に装着するように、弾力を有する繊維素材により成形された筒状本体と、糸，毛糸，紐又は帯状繊維素材からなり、前記筒状本体にらせん状に巻かれる弾力変化材とを備え、前記筒状本体は、繊維素材からなる方形の本体素材が、筒状に丸められ、その両長手端縁において縫合されて、縫合線部が形成され、引っ張り・圧縮およびひねりなどの外力を加えると、繊維素材のもつ復元力の働く範囲内で、容易に変形すると共にその弾力が変化し、その保持感触を変化できるように形成され、前記弾力変化材の一部ないし全部は、弾力変化材と縫合線部とのある交点を第１の交点とし、前記第１の交点と隣接する交点を第２の交点としているとき、筒状本体の上部と下部とを反対方向にひねりを加えると、第１の交点は移動し及び／又は第２の交点は移動して、この弾力変化材が筒状本体に食い込み且つ筒状本体が被把持軸に密着するように、筒状本体を一周するごとに筒状本体に接着又は縫合されたことを特徴とする、グリップである。
この発明の請求項２にかかるグリップは、前記筒状本体は、その片方又は両方の端部が絞り込みされ、被把持軸に密着して変形させた状態を保持するとともに、被把持軸上をスライドするように形成された、請求項１に記載のグリップである。
この発明の請求項３にかかるグリップは、筒状本体は、両端の口部に絞り縁部が形成され、弾力変化材は、筒状本体の中央部にらせん状に巻かれて、筒状本体の上部と下部とを反対方向にひねりを加えると、第１の交点は移動し且つ第２の交点も移動して、この弾力変化材が筒状本体に食い込み且つ筒状本体が被把持軸に密着するように形成された、請求項１または請求項２に記載のグリップである。
【発明の効果】
【０００９】
本発明のグリップは、被把持軸に装着するように、弾力を有する繊維素材により成形された筒状本体と、糸，毛糸，紐又は帯状繊維素材からなり、前記筒状本体にらせん状に巻かれる弾力変化材とを備え、前記筒状本体は、繊維素材からなる方形の本体素材が、筒状に丸められ、その両長手端縁において縫合されて、縫合線部が形成され、引っ張り・圧縮およびひねりなどの外力を加えると、繊維素材のもつ復元力の働く範囲内で、容易に変形すると共にその弾力が変化し、その保持感触を変化できるように形成されているので、鉛筆等の被把持軸の把持感触を使用者の好みに応じて変化させることが出来る。例えば筆記の状況で詳細な文字を書く場合はハードな把持感触にしたり、ラフスケッチをする場合はソフトな把持感触にすることが可能となり、使用者の疲労も低減できる。
さらに、筒状本体上に付加するための弾力変化材を構成する素材を、糸・毛糸・紐などにより形成することによって、筒状本体のへたり・毛羽立ち・毛玉又はほつれなどの発生を低減すると共に、加工が容易なため、さまざまなデザインが可能であると共に、形状に変化を与え使用者の目を楽しませることができる。
【００１０】
また、このグリップは、被把持軸上をスライド可能なように形成すれば、鉛筆のように長さの変化する筆記具にも使用できる。また、グリップを被把持軸から取り外しての洗浄が可能で、常に清潔な状態で使用できる。
【００１２】
この発明の上述の目的、その他の目的、特徴および利点は、図面を参照して行う以下の発明を実施するための最良の形態の説明から一層明らかとなろう。
【発明を実施するための最良の形態】
【００１３】
図１は、この発明の一実施の形態であるグリップの斜視図解図であり、図２は、筒状本体の変形と弾力の相関関係を表すグラフであり、図３は、筒状本体の中央部にらせん状に巻かれた弾力変化材の効果の説明図であり、図４は、図１図示グリップを圧縮した状態を示す斜視図解図であり、図５は、図４Ｃ−Ｃ断面図であり、図６は、図１図示グリップを伸張した状態を示す斜視図解図であり、図７は、図５Ｃ−Ｃ断面図であり、図８は、図１図示グリップをひねった状態を示す斜視図解図であり、図９は、図１図示グリップを絞った状態を示す斜視図解図である。
【００１４】
この発明にかかるグリップ１０は、筒状本体１２をベースとし、その筒状本体１２上に糸からなる弾力変化材１４が巻きつけられ、筒状本体１２を一周する毎に筒状本体１２に縫合されている。
さらに、筒状本体１２の両端の口部１６及び口部１８は、ゴム巻・合成皮の貼り付けなどで、筒状本体１２の通常の口径よりもやや絞り込むように、絞り縁部２０及び絞り縁部２２が形成されている。
【００１５】
筒状本体１２は、弾力と柔軟性を有する繊維素材（例えばネル・コーディロイ・ニット、不繊布のフェルト等）からなる方形の本体素材３０が、筒状に丸められ、その両長手端縁３２及び長手端縁３４において縫合され縫合線部３６が形成されており、この筒状本体１２は、圧縮・伸張ないしは絞り・ひねりの力を加えると容易に変形すると共に弾力も変化する。
【００１６】
筒状本体１２の両端の口部１６及び口部１８は、ゴムを巻きつけたりあるいは合成皮を貼り付けるなどで絞り込み加工して、絞り縁部２０及び絞り縁部２２が形成されている。
絞り縁部２０及び絞り縁部２２は、単に繊維素材を筒状本体１２にしただけでは力を加えて変形させてもその力を開放すると、その繊維の持つ復元力により元の形状に戻ろうとするので、口部１６及び口部１８を絞り込み加工することで、筒状本体１２が断面六角形の鉛筆などの被把持軸Ａに密着して、変化した状態を保持する機能を持ち、次に力を加えるまでその状態を保つ役目を果たすように形成されている。
【００１７】
また、弾力変化材１４は、筒状本体１２の中央部の外周に巻きつけられ、筒状本体１２のへたり・毛羽立ち又は毛玉の発生を低減させる効果を発揮する。弾力変化材１４としては、糸以外の毛糸・紐または帯状繊維素材を巻きつけることによっても同様の効果を得られる。
【００１８】
上記の関係は、図２で示すとおり、繊維素材を圧縮すると、繊維密度が高くなり結果その弾力は大きくなる。一方、伸張方向に力を加えるとその弾力は小さくなる。ただし、圧縮、伸張ともその限界以上の力が加わった場合、繊維素材の持つ復元力が失われて元の形状に戻らない。そこで、復元力の働く範囲内（図２  Ａ−Ｂ）で、その繊維が持つ弾力の変化を利用することにより、耐久性を持つ。
【００１９】
さらに、弾力変化材１４は、図３において示すように、筒状本体１２にらせん状に巻かれて、弾力変化材１４と縫合線部３６との第１の交点４０−ａと、前記第１の交点４０−ａと隣接する第２の交点４０−ｂで筒状に縫合されているとき、筒状本体１２の上部と下部とを反対方向（図３矢印Ｐ−ａ  Ｐ−ｂ方向）にひねりを加えると、第１の交点４０−ａは４０−ａ’に移動し、第２の交点４０−ｂは４０−ｂ’に移動する。そのため、この弾力変化材１４は、筒状本体１２に食い込み、その結果、筒状本体１２は、被把持軸Ａに密着し、ハードな感触を得られる。また、この弾力変化材１４は、筒状繊維に限界以上の力をかけた場合の変形の抑制も行う。
【００２０】
具体的には、筒状本体１２は、幅７５ｍｍの帯状に切断したフェルトからなる方形の本体素材３０を、対象とする筆記具等の被把持軸Ａの径に合わせて、本体素材３０の両長手端縁３２及び長手端縁３４において筒状に縫合されている。例えば、被把持軸Ａの直径が７．８ｍｍの場合には、３５ｍｍの幅を有する本体素材３０で筒状に縫合（両端口部１６及び口部１８は２度縫い）し、縫合線部３６から縫代２ｍｍとなるように離れた位置で切断されている。
【００２１】
口部１６及び口部１８の端部は、縫目ピッチ１ｍｍでミシン縫いを行い、端部のほつれやへたりを抑止するように補強されている。そして、輪状のゴムが付設されて絞り加工され、絞り縁部２０及び絞り縁部２２が形成されている。
【００２２】
弾力変化材１４を構成する糸は、筒状本体１２の中央部に、７ｍｍピッチでらせん状に巻きつけられ、一周するごとに筒状本体１２に縫込み、使用中に弾力変化材１４がずれることを防いでいる。
【００２３】
以下にグリップを変形させた状態を説明する。
【００２４】
グリップ１０は、図４に示すように、筒状本体１２の両端を持ち、矢印Ｐの方向に力を加えて筒状本体１２を圧縮すると、筒状本体１２の中央部は、らせん状の弾力変化材１４に従ってひだとなり、図５の筒状本体１２に示すように、被把持軸Ａに対して厚く巻きつき、この部分を把持するとソフトな感触が得られる。
【００２５】
グリップ１０は、図６に示すように、筒状本体１２の両端を持ち、矢印Ｐの方向に力を加えて筒状本体１２を伸張すると、筒状本体１２の中央部は、本体素材３０の繊維が伸びた状態となり、図７の筒状本体１２に示すように、被把持軸Ａに対して薄く密着し、この部分を把持するとハードな感触が得られる。このとき、らせん状の弾力変化材１４および縫合線部３６は、必要以上の伸張を防ぐ機能を果たす。
【００２６】
グリップ１０は、図８に示すように、筒状本体１２の両端を持ち、矢印Ｐの方向に力を加えて筒状本体１２を絞ると、筒状本体１２の中央部は、らせん状の弾力変化材１４とともに被把持軸Ａに巻き付き、この筒状本体１２部分を把持するとハードな感触が得られる。このとき、らせん状の弾力変化材１４および縫合線部３６は、必要以上の伸張を防ぐ機能を果たす。
【００２７】
図９に示すように、筒状本体１２の中央部は、その本体素材３０である不繊布・生地または弾力変化材１４をらせん状に加工した筒状であるとき、筒状本体１２の両端を持ち矢印Ｐの方向に力を加えて筒状本体１２をひねると、筒状本体１２の中央部は、らせん状の弾力変化材１４とともに被把持軸Ａから浮き上がりソフトな感触が得られる。
【００２８】
この発明は、前記実施の形態に限らず、この発明の思想にもとづき種々変更することが可能である。
図１０に示すように、筒状本体１１２は、薄手のポリエステルのフェルトをもって本体素材１３０を形成する。すなわち、薄手のポリエステルのフェルトを幅１００ｍｍの方形状に切断したものを基材１３２とし、基材１３２の上に、短冊上に切断した薄手のポリエステルのフェルトからなる帯状材１３４を、角度４５°、間隔７ｍｍで、中央部５０ｍｍに並べ、各帯状材１３４毎に基材１３２に縫いつける。弾力変化材を形成するために、帯状材１３４の中央を長手方向に糸からなる補強材１１４を縫いつける。
【００２９】
基材１３２の両端部１３６及び端部１３８を折り曲げ、帯状材１３４の端部と合わせて縫い代約２ｍｍで縫合するとともに、基材１３２端部から２ｍｍも入ったところを補強縫い１４０を行う。口部１１６及び口部１１８の袋状部１４２及び袋状部１４４を切断して挿入口１４６及び挿入口１４８を形成する。
そして、この本体素材１３０は、対象筆記具たる被把持軸Ａに巻きつけ、長手端縁１５０及び長手端縁１５２近傍において２ｍｍ程度の縫い代をつけて縫合し、余分な部分を切断する。
最後に、端部の袋状部１４２及び袋状部１４４の挿入口１４６及び挿入口１４８に圧着用の輪ゴム１６０を、図１１に示すように装着して、絞り縁部１２０及び１２２を形成し、被把持軸Ａに密着するように構成する。
【図面の簡単な説明】
【００３０】
【図１】この発明の一実施の形態であるグリップの斜視図解図である。
【図２】筒状本体の変形と弾力の相関関係を表すグラフである。
【図３】筒状本体の中央部にらせん状に巻かれた弾力変化材の効果の説明図である。
【図４】図１図示グリップを圧縮した状態を示す斜視図解図である。
【図５】図４Ｃ−Ｃ断面図である。
【図６】図１図示グリップを伸張した状態を示す斜視図解図である。
【図７】図５Ｃ−Ｃ断面図である。
【図８】図１図示グリップをひねった状態を示す斜視図解図である。
【図９】図１図示グリップを絞った状態を示す斜視図解図である。
【図１０】この発明の別の実施の形態であるグリップの製作方法を示す斜視図解図である。
【図１１】この発明の別の実施の形態であるグリップの斜視図解図である。
【符号の説明】
【００３１】
１０  グリップ
１２，１１２  筒状本体
１４  弾力変化材
１６，１８，１１６，１１８  口部
２０，２２，１２０，１２２  絞り縁部
３０  本体素材
３２，３４，１５０，１５２  長手端縁
３６  縫合線部
４０  弾力変化材と縫合線部との交点
１１４  補強材
１３０  本体素材
１３２  基材
１３４  帯状材
１３６，１３８  端部
１４０  補強縫い
１４２，１４４  袋状部
１４６，１４８  挿入口
１６０  輪ゴム
Ｐ  力の方向を示す矢印
Ａ  被把持軸
【図１】
0004554507.tif 000002
【図２】
0004554507.tif 000003
【図３】
0004554507.tif 000004
【図４】
0004554507.tif 000005
【図５】
0004554507.tif 000006
【図６】
0004554507.tif 000007
【図７】
0004554507.tif 000008
【図８】
0004554507.tif 000009
【図９】
0004554507.tif 000010
【図１０】
0004554507.tif 000011
【図１１】
0004554507.tif 000012